(57)【要約】【課題】略平らに押し広げた状態で積み重ねて運搬でき、現場で幼木を取り囲むときには直ちに元の角筒形状に復元できる獣害防止用網筒体、及び、支柱に結び付けなくても倒れないように簡単に立設できる獣害防止用網筒体を提供する。【解決手段】合成樹脂ネットからなる角筒形状の網筒体の四隅のコーナー部に、Ｌ形の断面形状を備えた非硬質で変形及び復元が自在な合成樹脂製の縦帯を設けた構成の獣害防止用網筒体、又は、非硬質の合成樹脂ネットからなる角筒形状の網筒体の少なくとも一つのコーナー部に横方向の切込みを設け、そのコーナー部を部分的に凹ませて凹部を形成した構成の獣害防止用網筒体とする。【選択図】図１
2004187677.tif 000002
【特許請求の範囲】
【請求項１】
合成樹脂ネットからなる角筒形状の網筒体の四隅のコーナー部に、Ｌ形の断面形状を備えた非硬質で変形及び復元が自在な合成樹脂製の縦帯を設けたことを特徴とする獣害防止用網筒体。
【請求項２】
上記縦帯の表面に全長に亘って凸リブを形成したことを特徴とする請求項１に記載の獣害防止用網筒体。
【請求項３】
上記網筒体の少なくとも一つのコーナー部の縦帯に横方向の切込みを設け、縦帯を部分的に凹ませて凹部を形成したことを特徴とする請求項１又は請求項２に記載の獣害防止用網筒体。
【請求項４】
上記凹部を、縦帯に上下対称に形成したことを特徴とする請求項３に記載の獣害防止用網筒体。
【請求項５】
上記凹部を、網筒体の対角線方向に相対向する二つのコーナー部の縦帯に形成したことを特徴とする請求項３又は請求項４に記載の獣害防止用網筒体。
【請求項６】
上記網筒体の上端と下端と中間部のそれぞれに、非硬質で変形及び復元が自在な方形環状の合成樹脂製の横帯を設けたことを特徴とする請求項１ないし請求項５のいずれかに記載の獣害防止用網筒体。
【請求項７】
合成樹脂ネットが生分解性樹脂からなるネットであることを特徴とする請求項１ないし請求項６のいずれかに記載の獣害防止用網筒体。
【請求項８】
非硬質の合成樹脂ネットからなる角筒形状の網筒体の少なくとも一つのコーナー部に横方向の切込みを設け、そのコーナー部を部分的に凹ませて凹部を形成したことを特徴とする獣害防止用網筒体。
【請求項９】
上記凹部を、コーナー部に上下対称に形成したことを特徴とする請求項８に記載の獣害防止用網筒体。
【請求項１０】
上記凹部を、網筒体の対角線方向に相対向する二つのコーナー部に形成したことを特徴とする請求項８又は請求項９に記載の獣害防止用網筒体。
【発明の詳細な説明】
【技術分野】
【０００１】
本発明は、幼木を野生動物の食害から保護する獣害防止用網筒体に関する。
【背景技術】
【０００２】
従来から、幼木を合成樹脂製の網筒体で取り囲み、幼木を野生動物の食害から保護することが行われている。本出願人も、下記の特許文献１に示すように、中密度ポリエチレン樹脂の網筒体に鼠忌避剤を含有させた鼠害防止用網筒体を提案した。これらの獣害防止用の網筒体は、その現場で合成樹脂ネットを筒状に巻いてネットの重なり合った両側縁を結束線等で結ぶことにより作製されるか、或いは、最初から筒状に作製して現場まで運搬されている。
【０００３】
しかしながら、現場で合成樹脂ネットを筒状に巻いて両側縁を結束線等で結ぶ作業は面倒であり、かなりの手間がかかるという問題があった。このような問題は、最初から合成樹脂ネットを筒状に作製して現場まで運搬すれば一応解決されるが、その場合は、合成樹脂ネットで作製された網筒体の嵩が高いため、一度に運搬できる量が少なくなり、運搬コストが上昇するという新たな問題が生じる。かと言って、網筒体を略平らに押し広げた状態で大量に積み重ねて運搬すると、網筒体に折り癖がついて元の筒形状に復元することが困難になり、あえて折り癖を直そうとすると、その折曲部分に亀裂等が入って切断の恐れが生じる。また、これらの網筒体はいずれも、幼木に沿って立設した支柱に結束線等で結び付けることにより、倒れないように設置しなければならないため、設置作業が意外と面倒であるという問題もあった。
【特許文献１】特開平６−２４７８０３号公報
【発明の開示】
【発明が解決しようとする課題】
【０００４】
本発明は上記の問題に対処すべくなされたもので、運搬するときには略平らに押し広げた状態で大量に積み重ねることができ、現場で幼木を取り囲むときには直ちに元の筒形状に復元することができる獣害防止用網筒体を提供することを主たる解決課題としている。そして、支柱に結び付けなくても倒れないように簡単に立設できる獣害防止用網筒体を提供することも解決課題としている。
【課題を解決するための手段】
【０００５】
上記課題を解決するため、本発明の第一の獣害防止用網筒体は、合成樹脂ネットからなる角筒形状の網筒体の四隅のコーナー部に、Ｌ形の断面形状を備えた非硬質で変形及び復元が自在な合成樹脂製の縦帯を設けたことを特徴とするものである。
【０００６】
このような獣害防止用網筒体においては、縦帯の表面に全長に亘って凸リブを形成することが望ましい。そして、網筒体の少なくとも一つのコーナー部の縦帯に横方向の切込みを設け、この縦帯を部分的に内側に凹ませて凹部を形成することが望ましく、特に、この凹部を縦帯に上下対称に形成したり、網筒体の対角線方向に相対向する二つのコーナー部の縦帯に形成することが望ましい。更に、網筒体の上端と下端と中間部のそれぞれに、非硬質で変形及び復元が自在な方形環状の合成樹脂製の横帯を設けることが望ましく、また、合成樹脂ネットが生分解性樹脂からなるネットであることも望ましい。
【０００７】
また、本発明の第二の獣害防止用網筒体は、非硬質の合成樹脂ネットからなる角筒形状の網筒体の少なくとも一つのコーナー部に横方向の切込みを設け、そのコーナー部を部分的に凹ませて凹部を形成したことを特徴とするものである。
【０００８】
このような獣害防止用網筒体においては、上記凹部を、コーナー部に上下対称に形成したり、網筒体の対角線方向に相対向する二つのコーナー部に形成することが望ましい。
【発明の効果】
【０００９】
本発明の第一の獣害防止用網筒体を一つの対角線方向に押圧すると、その対角線方向に相対向する一組の断面Ｌ形の縦帯が略平らに変形すると共に、もう一つの対角線方向に相対向する他の一組の断面Ｌ形の縦帯が二つ折り状態に変形して、獣害防止用網筒体が略平らに押し広げられた状態となる。従って、この押し広げられた略平らな状態で多数の獣害防止用網筒体を積み重ねて、一度に大量の獣害防止用網筒体を現場まで運搬することができる。そして、現場で獣害防止用網筒体を幼木の周囲に設置するときには、網筒体の四隅の縦帯の形状を手で少し修正するだけで、四隅の縦帯が全て元のＬ形の断面形状に復元するため、獣害防止用網筒体を簡単に元の角筒形状に復元することができる。また、これらの四隅の縦帯は、腰が強くて折れにくいＬ形の断面形状を有する縦帯であるため、これらの帯体によって獣害防止用網筒体の強度、特に屈折強度（座屈強度）が向上する。
【００１０】
本発明の第一の獣害防止用網筒体において、縦帯の表面に全長に亘って凸リブを形成したものは、縦帯の腰が更に強くなって折れ難くなるため、獣害防止用網筒体の屈折強度が一層向上する。
【００１１】
また、本発明の第一の獣害防止用網筒体において、網筒体の少なくとも一つのコーナー部の縦帯に横方向の切込みを設け、この縦帯を部分的に内側に凹ませて凹部を形成したものは、縦帯の内面側と凹部の外面側に沿わせて支柱を挿入することにより、結束線等で網筒体と支柱を結び付けなくても、支柱を縦帯と凹部とで外側と内側から挟んだ状態で極く簡単に倒れないように設置することができる。特に、この凹部を縦帯に上下対称に形成したものは、支柱の上部と下部を挟んだ状態で安定良く設置することができ、また、網筒体の対角線方向に相対向する二つのコーナー部の縦帯に凹部を形成したものは、２本の支柱を挿入することによってより一層安定良く設置することができる。
【００１２】
更に、本発明の第一の獣害防止用網筒体において、網筒体の上端と下端と中間部のそれぞれに、非硬質で変形及び復元が自在な方形環状の合成樹脂製の横帯を設けたものは、横帯によって網筒体が補強されると共に、横帯と四隅の縦帯によって網筒体の骨格となる枠が形成されるため、獣害防止用網筒体の保形性、剛性、強度などが更に向上する。しかも、この横帯は縦帯と同様に非硬質で変形及び復元が自在なものであるから、網筒体を略平らに押し広げるときの妨げになることはなく、むしろ、網筒体の復元性を向上させる働きをするため、獣害防止用網筒体が元の角筒形状に一層復元しやすくなる。
【００１３】
また、本発明の第一の獣害防止用網筒体において、合成樹脂ネットとして生分解性樹脂からなるネットを採用したものは、幼木が大きく成長するまでに該ネットが分解するため、獣害防止用網筒体の撤収作業が不要になる。
【００１４】
一方、本発明の第二の獣害防止用網筒体は、その角筒形状の網筒体が非硬質の合成樹脂ネットからなるものであるため、この獣害防止用網筒体を一つの対角線方向に押圧すると、その対角線方向に相対向する一組のコーナー部が略平らに変形すると共に、もう一つの対角線方向に相対向する他の一組のコーナー部が二つ折り状態に変形して、獣害防止用網筒体が略平らに押し広げられた状態となる。従って、この押し広げられた略平らな状態で多数の獣害防止用網筒体を積み重ねて、一度に大量の獣害防止用網筒体を現場まで運搬することができる。そして、現場で獣害防止用網筒体を幼木の周囲に設置するときに、網筒体の四隅のコーナー部を手で修正すると、非硬質の合成樹脂ネットから成る網筒体は、その四隅のコーナー部が元の直角形状に簡単に復元し、コーナー部に亀裂等が入る恐れはない。
【００１５】
この第二の獣害防止用網筒体において、網筒体の少なくとも一つのコーナー部に横方向の切込みを設け、このコーナー部を部分的に内側に凹ませて凹部を形成したものは、コーナー部の内面側と凹部の外面側に沿わせて支柱を挿入することにより、結束線等で網筒体と支柱を結び付けなくても、支柱を縦帯と凹部とで外側と内側から挟んだ状態で極く簡単に倒れないように設置することができる。特に、この凹部をコーナー部に上下対称に形成したものは、支柱の上部と下部を挟んだ状態で安定良く設置することができ、また、網筒体の対角線方向に相対向する二つのコーナー部に凹部を形成したものは、２本の支柱を挿入することによってより一層安定良く設置することができる。
【発明を実施するための最良の形態】
【００１６】
以下、図面を参照して本発明の具体的な実施形態を詳述するが、本発明はこれらの実施形態のみに限定されるものではない。
【実施例１】
【００１７】
図１は本発明の一実施形態に係る獣害防止用網筒体の斜視図、図２は同獣害防止用網筒体の部分拡大斜視図、図３は同獣害防止用網筒体を押し広げた状態の部分斜視図、図４は同獣害防止用網筒体の使用状態を示す一部破断正面図である。
【００１８】
この獣害防止用網筒体１０は、合成樹脂ネットからなる角筒形状の網筒体１の四隅のコーナー部に、Ｌ形の断面を備えた縦帯２を全長に亘って設けたものである。
【００１９】
この網筒体１は、合成樹脂の縦糸を押出成形機から連続して押出すと共に、合成樹脂の横糸を押出成形機から断続的に押出して、縦糸と横糸をその交点で融着した方形網目を有する合成樹脂ネットを、角筒形状に賦形したものである。この網筒体１の具体的な大きさは、幼木の大きさ等によって種々異なるが、汎用サイズのものは、角筒の一辺の長さが１２〜３０ｃｍ程度、高さが６０〜２００ｃｍ程度である。また、この網筒体１の網目は、一辺が０．２〜１ｃｍ程度の大きさであることが好ましく、この程度の大きさの網目であれば、網筒体１の風通しが良いため幼木に病気が発生し難く、しかも、後述するように網筒体１の網目に結束線を通して支柱に結び付ける作業がし易くなる。
【００２０】
網筒体１を作製する合成樹脂ネットの縦糸のピッチと横糸のピッチは同一でもよいが、縦糸のピッチを横糸のピッチより小さくして縦糸の本数を多くすることが好ましく、このようにすると、網筒体１の屈折強度（座屈強度）を向上させることができる。
【００２１】
また、この網筒体１は、汎用の熱可塑性樹脂のネットで作製されるが、熱可塑性樹脂の中でも特に生分解性樹脂のネットで作製することが好ましく、このような生分解性樹脂のネットで網筒体１を作製すると、幼木が大きく成長するまでに該網筒体１が分解するため、獣害防止用網筒体１０の撤収作業が不要になる。
【００２２】
一方、網筒体１の四隅のコーナー部に設けられた前記の縦帯２は、Ｌ形の断面形状を備えた非硬質で変形及び復元が自在な合成樹脂製の縦帯であって、図２に示すように、この縦帯２の表面には複数本（図２では４本）の凸リブ２ａが全長に亘って形成されている。この縦帯２のように断面形状がＬ形で、表面に凸リブ２ａを形成したものは、縦帯２の腰が強くて折れ難いため、該縦帯２を網筒体１の四隅のコーナー部に設けると、強度、特に屈折強度（座屈強度）の大きい獣害防止用網筒体１０を得ることができる。
【００２３】
縦帯２の材料樹脂となる非硬質で変形及び復元が自在な合成樹脂としては、例えば、ポリエチレン、ポリプロピレンなどのオレフィン系樹脂や、ポリエチレンテレフタレート［テレフタル酸にグリコール成分としてエチレングリコール及び１，４−シクロヘキサンジメタノールを重縮合させたＰＥＴＧ，ＰＣＴＧ（いずれもイーストマンケミカル社の商品名）も含む］などのポリエステル樹脂や、ポリ塩化ビニルなどのビニル系樹脂などが使用される。
【００２４】
縦帯２の厚みは０．１〜１．０ｍｍ程度であることが好ましく、１．０ｍｍより厚くなると、獣害防止用網筒体１０を略平らに押し広げるときに、縦帯２が略平らな状態又は二つ折り状態に変形しにくくなり、０．１ｍｍより薄くなると、縦帯２の腰が弱くなって獣害防止用網筒体１０の屈折強度が低下するのみならず、復元性も低下することになる。
【００２５】
縦帯２を網筒体１のコーナー部に設ける手段としては、この実施形態のように縦帯２を網筒体１のコーナー部に重ねて熱溶着する手段などが好ましく採用されるが、これに限定されるものではなく、例えば、接着剤を用いて接着する手段等を採用することもできる。これらの縦帯２は、図１に示す実施形態のように網筒体１のコーナー部に外側から固着してもよく、反対に内側から固着してもよい。
【００２６】
また、網筒体１と同じ樹脂で縦帯２を設ける場合は、網筒体１を円筒形状に押出成形するとき、即ち、押出成形機から合成樹脂の縦糸を連続的に押出すと共に、合成樹脂の環状の横糸を断続的に押出して縦糸と溶着することにより、円筒形状の網筒体１を成形するときに、縦帯を設けるべきコーナー部となる箇所については、縦糸の代わりに合成樹脂を帯状に連続的に押出して平らな縦帯を形成し、この平らな縦帯を断面Ｌ形に賦形することによって、角筒形状の網筒体１の成形と同時に断面Ｌ形の縦帯２を網筒体１の四隅に設けることが好ましい。このようにすると、単一の成形工程で獣害防止用網筒体１０を効率良く量産できる利点がある。
【００２７】
以上のような構成の獣害防止用網筒体１０を、図３に示すように、一つの対角線方向Ｘに押圧すると、その対角線方向Ｘに相対向する一組の断面Ｌ形の縦帯２(２ｘ)，２(２ｘ)が略平らな状態に変形すると共に、もう一つの対角線方向Ｙに相対向する他の一組の断面Ｌ形の縦帯２(２ｙ)，２(２ｙ)が二つ折り状態に変形して、獣害防止用網筒体１０が略平らに押し広げられた状態となる。従って、この押し広げられた略平らな状態で多数の獣害防止用網筒体１０を積み重ねて、一度に大量の獣害防止用網筒体１０を現場まで運搬することができる。そして、現場で網筒体１の四隅の縦帯２(２ｘ)，２(２ｘ)，２(２ｙ)，２(２ｙ)の形状を手で少し修正すると、これらの縦帯は全て元のＬ形の断面形状に復元するため、獣害防止用網筒体１０を簡単に元の角筒形状に復元することができる。
【００２８】
上記のように元の角筒形状に復元された獣害防止用網筒体１０は、図４に示すように幼木３の周囲に設置され、該網筒体１０の対角線方向の相対向するコーナー部の内側に立設された支柱４，４に結束線５で結び付けて固定される。このように獣害防止用網筒体１０で幼木３を取り囲むと、網筒体内部への野生動物の侵入が阻止されるので、野生動物による食害を防止することができ、しかも、この獣害防止用網筒体１０は風通しが良いので、幼木３に病気や害虫被害が起こり難く、網目から幼木３の葉がはみ出すこともない。
【００２９】
尚、支柱４の本数は１本でも２本でも３本でも４本でもよく、また、獣害防止用網筒体１０の外側に立設してもよい。
【実施例２】
【００３０】
図５は本発明の他の実施形態に係る獣害防止用網筒体の斜視図である。
【００３１】
この獣害防止用網筒体１１は、網筒体１の上端と下端と中間部のそれぞれに、非硬質で変形及び復元が自在な方形環状の合成樹脂製の横帯６，６，６を更に設けたものであり、横帯６の材料樹脂や厚みは前述の縦帯２の材料樹脂や厚みと同じである。
【００３２】
横帯６は、熱溶着や接着などの手段で網筒体１の上端と下端と中間部に固着して設けてもよいが、横帯６を網筒体１や縦帯２と同じ合成樹脂で設ける場合は、次の方法で網筒体１と縦帯２と横帯６を同時に成形することが好ましい。即ち、押出成形機から合成樹脂の縦糸を連続的に押出すと共に、合成樹脂の環状の横糸を断続的に押出して縦糸と溶着することにより、円筒形状の網筒体１を成形する際に、前述したように、縦帯２を設けるべきコーナー部となる箇所について、縦糸の代わりに合成樹脂を帯状に連続的に押出して平らな縦帯を形成する一方、横帯６を設けるべき箇所については、環状の縦糸の代わりに合成樹脂を筒状に連続的に押出して円筒状の横帯を形成し、この円筒状の横帯と上記の平らな縦帯を断面Ｌ形に賦形することによって、角筒形状の網筒体１の成形と同時に断面Ｌ形の縦帯２と方形環状の横帯６を設けることが好ましい。このようにすると、単一の成形工程で獣害防止用網筒体１１を効率良く量産できる利点がある。
【００３３】
この獣害防止用網筒体１１の他の構成は、前述の獣害防止用網筒体１０と同様であるので、図５において同一部材に同一符号を付し、説明を省略する。
【００３４】
この獣害防止用網筒体１１のように、方形環状の横帯６を網筒体１の上端と下端と中間部のそれぞれに設けると、該横帯６によって網筒体１が補強されると共に、横帯６と四隅の縦帯２によって網筒体１の骨格となる枠が形成されるため、獣害防止用網筒体１１の保形性、剛性、強度などが更に向上する。しかも、この横帯６は縦帯２と同様に非硬質で変形及び復元が自在なものであるから、網筒体１を略平らに押し広げるときの妨げになることがなく、むしろ、網筒体１の復元性を向上させる働きをするため、獣害防止用網筒体１１が元の角筒形状に一層復元しやすくなる。
【実施例３】
【００３５】
図６は本発明の更に他の実施形態に係る獣害防止用網筒体の斜視図、図７は同獣害防止用網筒体の設置状態を示す側面図、図８は図７のＡ−Ａ線に沿った拡大断面図である。
【００３６】
この獣害防止用網筒体１２は、網筒体１の対角線方向に相対向する二つのコーナー部の縦帯２，２に工夫がされている。即ち、それぞれのＬ形の縦帯２，２の上部と下部に、５〜２０ｃｍ程度の間隔をあけて上下一対の横方向の切込みをそれぞれ設けると共に、この上下一対の切込みの間の部分を内側に逆Ｌ形に凹ませることによって、凹部２１を縦帯２，２の上部と下部に二箇所づつ形成し、この凹部２１と縦帯２との間の空間を支柱挿入空間７としている。
【００３７】
この獣害防止用網筒体１２の他の構成は、前述の獣害防止用網筒体１０と同様であるので、図６において同一部材に同一符号を付し、説明を省略する。
【００３８】
このような獣害防止用網筒体１２は、図７，図８に示すように、２本の支柱４，４を、網筒体１の対角線方向に相対向する縦帯２，２の内面側と、この縦帯の上部と下部に形成された凹部２１，２１の外面側とに沿わせて支柱挿入空間７に挿入するだけで、それぞれの支柱４を縦帯２と凹部２１とで外側と内側から挟んだ状態で極く簡単に倒れないように設置することができる。従って、図４に示すように結束線５等で網筒体１と支柱４を結び付ける必要がないので、設置作業が楽になる。
【００３９】
図６の実施形態では、対角線方向に相対向する二つの縦帯２，２の上部と下部に凹部２１をそれぞれ形成しているが、この凹部２１は少なくとも一つのコーナー部の縦帯２の一箇所に形成されていれば足るものである。しかし、一箇所では網筒体１の立設安定性があまり良くないので、図６の実施形態のように対角線方向の二つの縦帯２，２の上部と下部にそれぞれ凹部２１，２１を形成し、２本の支柱４，４を挿入することによって支柱４，４の上部と下部を挟んだ状態で一層安定良く設置できるようにすることが好ましい。尚、三つ又は四つの縦帯２に凹部２１を一つ以上形成して、３本又は４本の支柱で支えるようにしてもよいことは言うまでもない。
【実施例４】
【００４０】
図９は本発明の更に他の実施形態に係る獣害防止用網筒体を斜視図である。
【００４１】
この獣害防止用網筒体１３は、非硬質の合成樹脂ネットからなる角筒形状の網筒体１の対角線方向に相対向する一組のコーナー部の上部と下部に、５〜２０ｃｍ程度の間隔をあけて上下一対の横方向の切込みをそれぞれ設けると共に、この上下一対の切込みの間の部分を内側に逆Ｌ形に凹ませることによって、凹部２１を相対向する一組のコーナー部の上部と下部に二箇所づつ形成し、この凹部２１とコーナー部との間の空間を支柱挿入空間７としている。
【００４２】
非硬質の合成樹脂ネットとしては、前述した縦帯と同様のオレフィン系樹脂、ポリエステル樹脂、ビニル系樹脂などの変形及び復元が自在な合成樹脂からなるネットであって、網目の一辺が０．２〜１ｃｍ程度のものが好ましく使用される。また、縦糸のピッチを横糸のピッチより小さくして縦糸の本数を多くすることにより座屈強度を高めたネットも好ましく使用される。尚、網筒体１の好ましい寸法は、角筒の一辺の長さが１２〜３０ｃｍ程度、高さが６０〜２００ｃｍ程度である。
【００４３】
このような獣害防止用網筒体１３は、その角筒形状の網筒体１が非硬質の合成樹脂ネットからなるものであるため、一つの対角線方向に押圧すると、その対角線方向に相対向する一組のコーナー部が略平らに変形すると共に、もう一つの対角線方向に相対向する他の一組のコーナー部が二つ折り状態に変形して、獣害防止用網筒体が略平らに押し広げられた状態となり、この押し広げられた略平らな状態で多数の獣害防止用網筒体１３を積み重ねて、一度に大量の獣害防止用網筒体１３を現場まで運搬することができる。そして、現場で獣害防止用網筒体１３を幼木の周囲に設置するときに、網筒体１の四隅のコーナー部を手で修正すると、非硬質の合成樹脂ネットから成る網筒体１は、四隅のコーナー部が元の直角形状に簡単に復元し、コーナー部に亀裂等が入る恐れはない。しかも、この獣害防止用網筒体１３は、凹部２１を形成した相対向する一組のコーナー部の内面側と該凹部２１の外面側に沿わせて２本の支柱を支柱挿入空間７にそれぞれ挿入することにより、極く簡単に安定良く設置することができる。
【図面の簡単な説明】
【００４４】
【図１】本発明の一実施形態に係る獣害防止用網筒体の斜視図である。
【図２】同獣害防止用網筒体の部分拡大斜視図である。
【図３】同獣害防止用網筒体を押し広げた状態の部分斜視図である。
【図４】同獣害防止用網筒体の使用状態を示す一部破断正面図である。
【図５】本発明の他の実施形態に係る獣害防止用網筒体の斜視図である。
【図６】本発明の更に他の実施形態に係る獣害防止用網筒体の斜視図である。
【図７】同獣害防止用網筒体の設置状態を示す側面図である。
【図８】図７のＡ−Ａ線に沿った拡大断面図である。
【図９】本発明の更に他の実施形態に係る獣害防止用網筒体の斜視図である。
【符号の説明】
【００４５】
１  網筒体
２  縦帯
２ａ  凸リブ
２１  凹部
３  幼木
６  横帯
７  支柱挿入空間
１０，１１，１２，１３  獣害防止用網筒体
【図１】
2004187677.tif 000003
【図２】
2004187677.tif 000004
【図３】
2004187677.tif 000005
【図４】
2004187677.tif 000006
【図５】
2004187677.tif 000007
【図６】
2004187677.tif 000008
【図７】
2004187677.tif 000009
【図８】
2004187677.tif 000010
【図９】
2004187677.tif 000011